(57)【特許請求の範囲】
【請求項１】
平面方形の角部に配された支柱と、周方向に隣接する支柱の上部同士を伸縮可能に連結する周囲フレームと、各支柱の上部から平面方形の中心に延出されて夫々が折畳可能に連結された可撓性を有する屋根フレームと、隣接する屋根フレームの間で平面方形の中心から周囲フレームに延出された可撓性を有する補助屋根フレームと、周囲フレームと屋根フレームと補助屋根フレームに被覆されるテントシートと、展開後に補助屋根フレームと周囲フレームとを着脱可能に連結する連結手段と、を備え、
前記連結手段は、補助屋根フレームの端部に設けられた第一連結具と、周囲フレームの長手方向中程に設けられて第一連結具に係脱し得る第二連結具とを備え、
前記補助屋根フレームは、弓状に湾曲されて、前記連結手段により前記周囲フレームと連結されることを特徴とする折畳式テント。
【請求項２】
周囲フレームは、支柱の上部に設けられた固定連結具と、固定連結具より下方で支柱に上下動可能に設けられた可動連結具と、周方向に隣接する支柱の固定連結具と可動連結具に夫々枢結される鋏状リンクとを備え、屋根フレームは、基端が固定連結具に枢結された下位屋根主骨と、基端寄りが下位屋根主骨の先端に枢結された上位屋根主骨と、上位屋根主骨の先端に枢結された上位中央連結具と、基端が可動連結具に枢結されて先端が下位屋根主骨の中程に枢結された下位屋根副骨と、基端が下位屋根副骨の中程に枢結されて先端が上位屋根主骨の基端に枢結された中位屋根副骨と、基端が上位屋根主骨の先端寄りに枢結された上位屋根副骨と、上位屋根副骨の先端に枢結されて上位中央連結具より下方に位置する下位中央連結具とを備え、補助屋根フレームは、屋根フレームの上位中央連結具及び下位中央連結具と、一端が上位中央連結具に枢結されて他端が周囲フレームの近傍まで延びた補助屋根主骨と、一端が下位中央連結具に枢結されて他端が補助屋根主骨の一端寄りに枢結された補助屋根副骨とを備え、連結手段は、補助屋根フレームの補助屋根主骨の他端に設けられた前記第一連結具と、周囲フレームの鋏状リンクの長手方向中程に設けられて前記第一連結具に係脱し得る前記第二連結具とを備えている請求項１に記載の折畳式テント。
【請求項３】
屋根フレームに於ける上位屋根主骨と上位屋根副骨との枢結点から上位屋根主骨と上位中央連結具との枢結点までの距離と、補助屋根フレームに於ける補助屋根主骨と補助屋根副骨との枢結点から補助屋根主骨と上位中央連結具との枢結点までの距離とを異ならせている請求項２に記載の折畳式テント。
【請求項４】
上位中央連結具に上下動可能に貫通されて下端が下位中央連結具に固定された中央支柱を備えている請求項２に記載の折畳式テント。
【発明の詳細な説明】
【技術分野】
【０００１】
本発明は、例えばキャンプやイベント等で用いられるドーム型の屋根を備えた折畳式テントの改良に関する。
【背景技術】
【０００２】
従来、この種の折畳式テントとしては、例えば特許文献１〜４に記載されたものが知られている。
当該折畳式テントは、基本的には、平面方形の角部に配された支柱と、周方向に隣接する支柱の上部同士を伸縮可能に連結する周囲フレームと、各支柱の上部から平面方形の中心に延出されて夫々が折畳可能に連結される屋根フレームと、周囲フレームと屋根フレームに被覆されるテントシートと、から構成されている。
而して、この様なものは、屋根フレームを可撓性材料で作製したり、或は多段に角度を付ける事に依りドーム型の屋根を形成でき、角錐状の屋根に比べて、全高を低くできて風等に依る変形の心配がなかった。
ところが、この様なものは、平面方形の対角線上のみに屋根フレームが設けられていたので、それ以外の箇所でテントシートが垂れ下がって雨水等が溜まる惧れがあった。
【０００３】
この様な難点を克服したものとしては、例えば特許文献５に記載されたものが知られている。
これは、隣接する屋根フレームの間で平面方形の中心から周囲フレームに向かって延出された補助屋根フレームを設けたものである。
この様なものは、補助屋根フレームを備えているので、隣接する屋根フレームの間のテントシートが持上げられる事に依り緊張されて弛む事がない。
【先行技術文献】
【特許文献】
【０００４】
【特許文献１】特許第３５６６７２７号公報
【特許文献２】実用新案登録第３０４２１１３号公報
【特許文献３】特許第３９１８１５５号公報
【特許文献４】特許第４１９０５５２号公報
【特許文献５】韓国特許第１０−０４２９１０２号公報
【発明の概要】
【発明が解決しようとする課題】
【０００５】
然しながら、この様なものは、補助屋根フレームが平面方形の中心から所謂片持ち状態で延出されていたので、強風等が作用した場合には、この補助屋根フレームやこの付近の周囲フレームが折損や変形したり、補助屋根フレームの遊端（先端）に依りテントシートが破損する惧れがあった。
【０００６】
本発明は、叙上の問題点に鑑み、これを解消する為に創案されたもので、その課題とする処は、強風等が作用しても補助屋根フレームやこの付近の周囲フレームやテントシートが損傷したり変形しない様にした折畳式テントを提供するにある。
【課題を解決するための手段】
【０００７】
本発明の折畳式テントは、基本的には、平面方形の角部に配された支柱と、周方向に隣接する支柱の上部同士を伸縮可能に連結する周囲フレームと、各支柱の上部から平面方形の中心に延出されて夫々が折畳可能に連結された可撓性を有する屋根フレームと、隣接する屋根フレームの間で平面方形の中心から周囲フレームに延出された可撓性を有する補助屋根フレームと、周囲フレームと屋根フレームと補助屋根フレームに被覆されるテントシートと、展開後に補助屋根フレームと周囲フレームとを着脱可能に連結する連結手段と、を備え、前記連結手段は、補助屋根フレームの端部に設けられた第一連結具と、周囲フレームの長手方向中程に設けられて第一連結具に係脱し得る第二連結具とを備え、前記補助屋根フレームは、弓状に湾曲されて、前記連結手段により前記周囲フレームと連結されることに特徴が存する。
【０００８】
折畳状態の折畳式テントにテントシートが被せられた後に、四つの支柱が平面放射状に広げられると、周方向に隣接する支柱間の周囲フレームが伸長されると共に、屋根フレームが伸長しながら立ち上がり、補助屋根フレームが屋根フレームに相応して展開される。展開後は、連結手段に依り補助屋根フレームと周囲フレームとが連結される。
そうすると、可撓性を有する屋根フレーム及び補助屋根フレームが弓状に彎曲されてこれらに依りドーム型の屋根が形成される。この時、テントシートは、屋根フレームと補助屋根フレームと周囲フレームに被覆された状態となる。
隣接する屋根フレーム間には、補助屋根フレームが設けられているので、これに依り同部分のテントシートが緊張されて弛む事がない。
展開後に於ては、補助屋根フレームと周囲フレームとが連結手段に依り連結されるので、両者並びに折畳式テント全体の強度が向上される。この為、強風等が作用しても補助屋根フレームやこの付近の周囲フレームやテントシートが損傷したり変形したりする事がない。
【０００９】
周囲フレームは、支柱の上部に設けられた固定連結具と、固定連結具より下方で支柱に上下動可能に設けられた可動連結具と、周方向に隣接する支柱の固定連結具と可動連結具に夫々枢結される鋏状リンクとを備えているのが好ましい。この様にすれば、簡単な構造に依り周方向に隣接する支柱の間隔を迅速且つ確実に伸縮させる事ができる。
【００１０】
屋根フレームは、基端が固定連結具に枢結された下位屋根主骨と、基端寄りが下位屋根主骨の先端に枢結された上位屋根主骨と、上位屋根主骨の先端に枢結された上位中央連結具と、基端が可動連結具に枢結されて先端が下位屋根主骨の中程に枢結された下位屋根副骨と、基端が下位屋根副骨の中程に枢結されて先端が上位屋根主骨の基端に枢結された中位屋根副骨と、基端が上位屋根主骨の先端寄りに枢結された上位屋根副骨と、上位屋根副骨の先端に枢結されて上位中央連結具より下方に位置する下位中央連結具とを備えているのが好ましい。この様にすれば、下位屋根主骨と上位屋根主骨と上位中央連結具と下位屋根副骨だけでなく、中位屋根副骨と上位屋根副骨と下位中央連結具とを備えているので、極めて強靭で撓（しな）やかなドーム型の屋根を形成する事ができる。
【００１１】
補助屋根フレームは、屋根フレームの上位中央連結具及び下位中央連結具と、一端が上位中央連結具に枢結されて他端が周囲フレームの近傍まで延びた補助屋根主骨と、一端が下位中央連結具に枢結されて他端が補助屋根主骨の一端寄りに枢結された補助屋根副骨とを備えているのが好ましい。この様にすれば、屋根フレームの構成部品を共用並びに利用できるので、部品点数の削減とコストの低減を図る事ができる。
【００１２】
連結手段は、補助屋根フレームの補助屋根主骨の他端に設けられた第一連結具と、周囲フレームの鋏状リンクの長手方向中程に設けられて第一連結具に係脱し得る第二連結具とを備えているのが好ましい。この様にすれば、簡単な構造に依り補助屋根フレームと周囲フレームとを係脱でき、折畳式テントの収縮又は展開に際して大きな手間が掛からない。
【００１３】
屋根フレームに於ける上位屋根主骨と上位屋根副骨との枢結点から上位屋根主骨と上位中央連結具との枢結点までの距離と、補助屋根フレームに於ける補助屋根主骨と補助屋根副骨との枢結点から補助屋根主骨と上位中央連結具との枢結点までの距離とを異ならせるのが好ましい。この様にすれば、屋根フレームと補助屋根フレームの収縮又は展開時期を異ならせる事ができるので、両者が絡み合う惧れがなくなり、折畳式テントの収縮又は展開を常に適正に行なう事ができる。
【００１４】
上位中央連結具に上下動可能に貫通されて下端が下位中央連結具に固定された中央支柱を備えているのが好ましい。この様にすれば、全体としてはドーム型でその中央部分のみが上方に突出した屋根形状にする事ができる。
【発明の効果】
【００１５】
本発明に依れば、次の様な優れた効果を奏する事ができる。
（１）  支柱、周囲フレーム、屋根フレーム、補助屋根フレーム、テントシート、連結手段とで構成し、とりわけ、補助屋根フレームを周囲フレームの近傍まで延ばすと共に、展開後に補助屋根フレームと周囲フレームとを着脱可能に連結する連結手段を設けたので、強風等が作用しても補助屋根フレームやこの付近の周囲フレームやテントシートが損傷したり変形する事がない。
（２）  展開後に補助屋根フレームと周囲フレームとを着脱可能に連結する連結手段を設けるだけであるので、既存のものへも容易に適用できる。
【図面の簡単な説明】
【００１６】
【図１】本発明の折畳式テントを展開した状態を示す正面図。
【図２】図１の平面図。
【図３】屋根フレームを示す要部正面図。
【図４】折畳んだ状態を示す図３と同様図。
【図５】補助屋根フレームを示す要部正面図。
【図６】連結手段を示す要部斜視図。
【発明を実施するための形態】
【００１７】
以下、本発明の実施の形態を、図面に基づいて説明する。
図１〜図６に於て、折畳式テント１は、支柱２、周囲フレーム３、屋根フレーム４、補助屋根フレーム５、テントシート６、連結手段７とからその主要部が構成されている。
【００１８】
支柱２は、平面方形の角部に配されたもので、この例では、平面正方形の角部に夫々一つづつ合計四つのものが立設されている。支柱２は、大径な上位支柱８と、これに摺動可能に嵌挿される小径な下位支柱９と、これの下端に付設されて設置面に当合される座板１０と、上位支柱８に対して下位支柱９を任意の高さ位置で固定する為の固定手段（図示せず）とを備えている。上位支柱８と下位支柱９は、金属製角パイプ等に依り作製されていると共に、座板１０は、合成樹脂等に依り作製されている。
【００１９】
周囲フレーム３は、周方向に隣接する支柱２の上部同士を伸縮可能に連結するもので、この例では、支柱２の上部に設けられた固定連結具１１と、固定連結具１１より下方で支柱２に上下動可能に設けられた可動連結具１２と、周方向に隣接する支柱２の固定連結具１１と可動連結具１２に夫々枢結される鋏状リンク１３と、支柱２の上位支柱８に対して可動連結具１２を少なくとも上昇位置に固定する為の固定手段（図示せず）とを備えている。
固定連結具１１と可動連結具１２は、鋏状リンク１３の端部を枢結する為の連結凹部を備えている。
鋏状リンク１３は、二つのリンクをＸ状にしてその交点を枢結したもの一組としてこれを長手方向に二組連結して用いている。
而して、鋏状リンク１３は、両端部が固定連結具１１と可動連結具１２の連結凹部に挿入されてボルト・ナット等の締結具に依り枢結されていると共に、交点部分並びに端部同士の連結部分には、回動抵抗を減少させる為の断面略Ｕ型の摺接体１４が外嵌されてボルト・ナット等の締結具１５に依り枢結されている。鋏状リンク１３の固定連結具１１及び可動連結具１２側を除く端部には、ここを塞ぐ蓋体１６が設けられている。
固定連結具１１と可動連結具１２と摺接体１４と蓋体１６は、合成樹脂等に依り作製されていると共に、鋏状リンク１３は、金属製角パイプ等に依り作製されている。
【００２０】
屋根フレーム４は、各支柱２の上部から平面方形の中心に延出されて夫々が折畳可能に連結された可撓性を有するもので、この例では、基端が固定連結具１１に枢結された下位屋根主骨１７と、基端寄りが下位屋根主骨１７の先端に枢結された上位屋根主骨１８と、上位屋根主骨１８の先端に枢結された上位中央連結具１９と、基端が可動連結具１２に枢結されて先端が下位屋根主骨１７の中程に枢結された下位屋根副骨２０と、基端が下位屋根副骨２０の中程に枢結されて先端が上位屋根主骨１８の基端に枢結された中位屋根副骨２１と、基端が上位屋根主骨１８の先端寄りに枢結された上位屋根副骨２２と、上位屋根副骨２２の先端に枢結されて上位中央連結具１９より下方に位置する下位中央連結具２３とを備えている。
下位屋根主骨１７と上位屋根主骨１８と下位屋根副骨２０の枢結箇所には、挿通連結具２４が挿通されてビス等に依り止結されている。
下位屋根主骨１７及び各副骨２０，２１，２２の両端と、上位屋根主骨１８の先端には、固定連結具１１や可動連結具１２や上位中央連結具１５や下位中央連結具２０や挿通連結具２１に俯仰（搖動）可能に挿着されてヒンジ部分を形成する端部連結具２５が嵌着されてビス等に依り止結されている。
ヒンジ部分は、端部連結具２５に形成された球面状の係止凸部と、端部連結具２５の相対物に形成されて係止凸部に適合する係止凹部とで構成されて居り、係止凸部を係止凹部に強く嵌め込む事に依り両者が容易に離脱しない様に結合される。
各主骨１７，１８及び各副骨２０，２１，２２は、可撓性を有するグラスファイバ製丸棒等に依り作製されていると共に、挿通連結具２４と端部連結具２５は、合成樹脂等に依り作製されている。
【００２１】
補助屋根フレーム５は、隣接する屋根フレーム４の間で平面方形の中心から周囲フレーム３の近傍まで延出された可撓性を有するもので、この例では、屋根フレーム４の上位中央連結具１９及び下位中央連結具２３と、一端が上位中央連結具１９に枢結されて他端が周囲フレーム３の近傍まで延びた補助屋根主骨２６と、一端が下位中央連結具２３に枢結されて他端が補助屋根主骨２６の一端寄りに枢結された補助屋根副骨２７とを備えている。
補助屋根主骨２６の枢結箇所には、挿通連結具２４が挿通されてビス等に依り止結されていると共に、補助屋根主骨２６の一端と補助屋根副骨２７の両端には、端部連結具２５が嵌着されてビス等に依り止結されている。
上位中央連結具１９と下位中央連結具２３には、屋根フレーム４用の枢結部分（四つ）の他にこれと同様の補助屋根フレーム５用の枢結部分（四つ）とを備えて居り、隣接する屋根フレーム４用の枢結部分の間に補助屋根フレーム５用の枢結部分が位置されている。
補助屋根主骨２６と補助屋根副骨２７に設けられる挿通連結具２４と端部連結具２５は、屋根フレーム４と同様のものが用いられる。
補助屋根主骨２６と補助屋根副骨２７は、屋根フレーム４と同様に、可撓性を有するグラスファイバ製丸棒等に依り作製されている。
補助屋根主骨２６は、上位屋根主骨１８より長さが長くされている。
【００２２】
テントシート６は、周囲フレーム３と屋根フレーム４と補助屋根フレーム５に被覆されるもので、この例では、合成樹脂製シート等に依り作製されて居り、周囲フレーム３と屋根フレーム４を覆うドーム部分と周囲フレーム３を覆う周囲部分とを備えている。
【００２３】
連結手段７は、展開後に補助屋根フレーム５と周囲フレーム３とを着脱可能に連結するもので、この例では、補助屋根フレーム５の補助屋根主骨２６の他端（遊端）に設けられた第一連結具２８と、周囲フレーム３の鋏状リンク１３の長手方向中程に設けられて第一連結具２８に係脱し得る第二連結具２９とを備えている。
第一連結具２８は、端部連結部２５が利用されてこれが補助屋根主骨２６の遊端に嵌着される。
第二連結具２９は、周囲フレーム３の鋏状リンク１３の長手方向中程に位置する上位の連結部分に設けられている。具体的には、鋏状リンク１３の連結部分に配された摺接体１４に一体的に設けられている。摺接体１４には、端部連結部２５の球面状の係止凸部に対応する係止凹部が形成されて居り、これらは、着脱が可能な程度の係合度合いにしてある。
【００２４】
屋根フレーム４に於ける上位屋根主骨１８と上位屋根副骨２２との枢結点Ａから上位屋根主骨１８と上位中央連結具１９との枢結点Ｂまでの距離Ｌ１と、補助屋根フレーム５に於ける補助屋根主骨２６と補助屋根副骨２７との枢結点Ｃから補助屋根主骨２６と上位中央連結具１９との枢結点Ｄまでの距離Ｌ２とを異ならせている。この例では、距離Ｌ２が、距離Ｌ１より大きく（Ｌ２＞Ｌ１）されて居り、その差（Ｌ２−Ｌ１）が５〜１０ｍｍ程度にしてある。
【００２５】
次に、この様な構成に基づいてその作用を述解する。
折畳状態の折畳式テント１にテントシート６が被せられた後に、四つの支柱２が平面放射状に広げられると、周方向に隣接する支柱２間の周囲フレーム３が伸長されると共に、屋根フレーム４が伸長しながら立ち上がり、補助屋根フレーム５が屋根フレーム４に相応して展開される。つまり、折畳式テント１は、図４の収縮状態から図１及び図３の展開状態になる。
【００２６】
展開後は、補助屋根フレーム５の遊端を押し下げて連結手段７の第一連結具２８と第二連結具２９に依り補助屋根フレーム５と周囲フレーム３とが連結される。
そうすると、可撓性を有する屋根フレーム４及び補助屋根フレーム５が弓状に彎曲されてこれらに依りドーム型の屋根が形成される。この時、テントシート６は、屋根フレーム４と補助屋根フレーム５と周囲フレーム３に被覆された状態となる。
【００２７】
隣接する屋根フレーム４間には、補助屋根フレーム５が設けられているので、これに依り同部分のテントシート６が緊張されて弛む事がない。
展開後に於ては、補助屋根フレーム５と周囲フレーム３とが連結手段７に依り連結されるので、両者並びに折畳式テント１全体の強度が向上される。この為、強風等が作用しても補助屋根フレーム５やこの付近の周囲フレーム３やテントシート６が損傷したり変形したりする事がない。
【００２８】
補助屋根フレーム５に於ける補助屋根主骨２６と補助屋根副骨２７との枢結点Ｃから補助屋根主骨２６と上位中央連結具１９との枢結点Ｄまでの距離Ｌ２は、屋根フレーム４に於ける上位屋根主骨１８と上位屋根副骨２２との枢結点Ａから上位屋根主骨１８と上位中央連結具１９との枢結点Ｂまでの距離Ｌ１より大きくしてあるので、補助屋根フレーム５が屋根フレーム４より先に展開されると共に、補助屋根フレーム５が屋根フレーム４より後に収縮される。その結果、屋根フレーム４と補助屋根フレーム５とが絡み合う惧れがなくなる。
【００２９】
連結手段７の第一連結具２８は、端部連結具２５を利用すると共に、第二連結具２９は、周囲フレーム３の鋏状リンク１３の連結部分に設けられる摺接体１４を利用してこれに一体的に設けられているので、構造が簡単化されてコストの低減を図る事ができる。
【００３０】
次に、本発明の変形例に就いて説明する。
当該折畳式テント１は、図４の鎖線で示す如く、上位中央連結具１９に上下動可能に貫通されて下端が下位中央連結具２３に固定された中央支柱３０を備えている。中央支柱３０は、上端に半球部を備えている。
この様なものは、全体としてはドーム型でその中央部分のみが上方に突出した屋根形状にする事ができる。加えて、中央支柱３０を備えているので、これが下位中央連結具２３の案内手段の役目を果たし、上位中央連結具１９に対して下位中央連結具２３が適正に昇降される。
【００３１】
尚、周囲フレーム３は、先の例では、鋏状リンク１３を二組連結したものであったが、これに限らず、例えば鋏状リンク１３を一組にしたり、三組以上を連結したものであったも良い。
屋根フレーム４と補助屋根フレーム５は、先の例では、補助屋根フレーム５の距離Ｌ２を、屋根フレーム４の距離Ｌ１より大きくしていたが、これに限らず、例えばこれらを逆にしても良い。
連結手段７は、先の例では、第一連結具２８には球面状の係止凸部が、第二連結具２９には係止凸部に適合する係止凹部が形成されていたが、これに限らず、例えばこれらを逆にしても良い。
連結手段７は、先の例では、球面状の係止凸部と係止凹部を用いたものであったが、これに限らず、例えば鉤状の係止凸部と鉤状の係止凹部や鉤状の係止凸部と環状の係止凹部等を用いたものでも良い。
連結手段７は、先の例では、第二連結具２９を周囲フレーム３の摺接体１４に一体的に設けたが、これに限らず、例えばこれらを別体にして枢結用の締結具１５に依り摺接体１４と一緒に取付けたり、別の締結具に依り摺接体１４や鋏状リンク１３に取付けても良い。
【符号の説明】
【００３２】
１…折畳式テント、２…支柱、３…周囲フレーム、４…屋根フレーム、５…補助屋根フレーム、６…テントシート、７…連結手段、８…上位支柱、９…下位支柱、１０…座板、１１…固定連結具、１２…可動連結具、１３…鋏状リンク、１４…摺接体、１５…締結具、１６…蓋体、１７…下位屋根主骨、１８…上位屋根主骨、１９…上位中央連結具、２０…下位屋根副骨、２１…中位屋根副骨、２２…上位屋根副骨、２３…下位中央連結具、２４…挿通連結具、２５…端部連結具、２６…補助屋根主骨、２７…補助屋根副骨、２８…第一連結具、２９…第二連結具、３０…中央支柱、Ａ，Ｂ，Ｃ，Ｄ…枢結点、Ｌ１，Ｌ２…距離。
【図１】
0005437015.tif 000002
【図２】
0005437015.tif 000003
【図３】
0005437015.tif 000004
【図４】
0005437015.tif 000005
【図５】
0005437015.tif 000006
【図６】
0005437015.tif 000007